(57)【要約】【課題】例えば試験に適用した場合に、不正行為を防止することが可能な通信システム及び通信方法を提供する。【解決手段】試験の管理に用いる中央装置１と、人体の頭部に装着され、装着時に装着者の眼前に画像を表示するＨＭＤ等の端末装置２とを用い、中央装置１から端末装置２へ設問を示す設問情報を送信し、端末装置２は、受信した設問情報に基づく設問の画像を装着者の眼前に表示する。そして装着者は、表示された設問に対して回答する。【選択図】図１
2009237801.tif 000002
【特許請求の範囲】
【請求項１】
通信可能な中央装置及び端末装置を備える通信システムにおいて、
前記中央装置は、
設問を示す設問情報を前記端末装置へ送信する手段を備え、
該端末装置は、
人体の頭部に装着可能に構成してあり、
装着時に装着者の眼前に画像を表示する表示部と、
前記中央装置から受信した設問情報に基づく設問を前記表示部に表示させる表示処理手段と
を備える
ことを特徴とする通信システム。
【請求項２】
前記設問情報は、設問の表示開始時刻を示す開始時刻情報が付加されてあり、
前記表示処理手段は、前記設問情報に付加された開始時刻情報が示す表示開始時刻に到達後、設問を表示させる様にしてある
ことを特徴とする請求項１に記載の通信システム。
【請求項３】
前記端末装置は、
装着後の着脱状態を検出する着脱検出手段を更に備え、
前記表示手段は、前記着脱検出手段にて装着されていないと検出した場合に、以後の設問の表示を禁止する様にしてある
ことを特徴とする請求項１又は請求項２に記載の通信システム。
【請求項４】
前記設問情報は、複数表示面分の設問の画像を含み、
前記端末装置は、
装着者の頭部又は眼球の動きを検出する動作検出手段を更に備え、
該動作検出手段が、所定の動きを検出した場合に、前記表示処理手段は、表示している設問の画像と異なる設問の画像を表示する様にしてある
ことを特徴とする請求項１乃至請求項３のいずれかに記載の通信システム。
【請求項５】
設問に対する回答を受け付ける回答装置を更に備え、
該回答装置は、
受け付けた回答を示す回答情報を生成する回答情報生成手段を備える
ことを特徴とする請求項１乃至請求項４のいずれかに記載の通信システム。
【請求項６】
前記回答装置は、
入力を受け付ける入力面を有するシート状をなしてあり、
前記入力面に対する所定の入力具の接触位置を検出する接触位置検出手段を更に備え、
前記回答情報生成手段は、前記接触位置検出手段が検出した接触位置及び／又は該接触位置の軌跡に基づいて回答情報を生成する様にしてある
ことを特徴とする請求項５に記載の通信システム。
【請求項７】
前記回答装置は、
棒状をなす入力具であり、
自らの一端の動きを検出する端部動作検出手段を更に備え、
前記回答情報生成手段は、前記端部検出手段が検出した一端の軌跡に基づいて回答情報を生成する様にしてある
ことを特徴とする請求項５に記載の通信システム。
【請求項８】
前記回答装置は、
前記端末装置の装着者を認証する認証手段を更に備え、
前記回答情報生成手段は、
前記認証手段が認証に成功した場合に限り、回答情報を生成する様に構成してある
ことを特徴とする請求項５乃至請求項７のいずれかに記載の通信システム。
【請求項９】
前記回答装置は、
前記回答情報生成手段が生成した回答情報を前記端末装置へ送信する手段を更に備え、
前記端末装置は、
受信した回答情報に基づく回答を前記表示部に表示させる手段を更に備える
ことを特徴とする請求項５乃至請求項８のいずれかに記載の通信システム。
【請求項１０】
前記設問情報は、設問の表示を終了する時刻又は回答情報の受信を終了する時刻を示す終了時刻情報が付加されてあり、
前記端末装置は、
前記設問情報に付加された終了時刻情報が示す終了の時刻に到達後、解答の受付を禁止して回答情報を前記中央装置へ送信する手段を更に備え、
該中央装置は、
受信した回答情報を、装着者を識別する識別情報に対応付けて記録する手段を更に備える
ことを特徴とする請求項９に記載の通信システム。
【請求項１１】
通信可能な中央装置及び端末装置を用いた通信方法において、
前記中央装置は、
設問を示す設問情報を前記端末装置へ送信し、
該端末装置は、
人体の頭部に装着され、
前記中央装置から受信した設問情報に基づく設問の画像を装着者の眼前に表示する
ことを特徴とする通信方法。
【発明の詳細な説明】
【技術分野】
【０００１】
本発明は、通信可能な中央装置及び端末装置を用いた通信システム及び通信方法に関し、特に設問に対して回答する試験に用いられる通信システム及び通信方法に関する。
【背景技術】
【０００２】
近年、様々な分野に電子情報技術が用いられている。資格試験、検定試験、入学試験等の各種試験の実施に関する分野も例外ではなく、コンピュータを用いた試験（ＣＢＴ:Computer Based Test）に関するシステムが提案されている。例えば主催者が管理する管理用サーバコンピュータから、試験会場に配設された会場用コンピュータへ、試験問題に係る試験問題情報を送信し、会場用コンピュータは、受信した試験問題情報に基づき試験問題を用紙に印刷するというＣＢＴに関するシステムが提案されている。
【０００３】
一般的に試験を実施する場合、特定の試験会場に受験者を収集し、試験監督員を配備することにより、替え玉受験、カンニング、試験終了後の回答の改竄等の不正行為の発生を防止している。ＣＢＴに関するシステムにおいても、受験者をカメラで監視し、また受験者用の端末に表示された画面を監視することにより、不正行為の発生を防止するシステムが提案されている（例えば特許文献１、２参照。）。
【特許文献１】特開２００３−９１２３１号公報
【特許文献２】特開２００３−６６８２６号公報
【発明の開示】
【発明が解決しようとする課題】
【０００４】
しかしながらカメラ等の監視のための設備を配設する場合、設備費用が高騰するという問題がある。また試験用の設備が設置された試験会場にて試験を実施する必要が生じるため、受験者にとっては居住地と試験会場との地理的関係に基づく不公平が生じ易いという問題がある。但し、受験者の自宅に大掛かりな監視のための設備を設置することは望ましくない。さらにカメラ又は画面による監視に際し、試験監督員の負担が生じるという問題があり、また受験者にとっては心理的圧迫感が生じるという問題がある。
【０００５】
本発明は斯かる事情に鑑みてなされたものであり、受験者の頭部に装着可能に構成され、装着時に装着者の眼前に画像を表示するＨＭＤ（Head Mount Display）等の端末装置を用い、中央装置から端末装置へ送信された設問情報に基づく設問を端末装置に表示することにより、設備費用の高騰を防止し、受験者は自宅にて受験することが可能で、試験監督員を必要としないため、受験者に対する心理的圧迫感を軽減する通信システム及び通信方法の提供を目的とする。
【課題を解決するための手段】
【０００６】
第１発明に係る通信システムは、通信可能な中央装置及び端末装置を備える通信システムにおいて、前記中央装置は、設問を示す設問情報を前記端末装置へ送信する手段を備え、該端末装置は、人体の頭部に装着可能に構成してあり、装着時に装着者の眼前に画像を表示する表示部と、前記中央装置から受信した設問情報に基づく設問を前記表示部に表示させる表示処理手段とを備えることを特徴とする。
【０００７】
本発明では、頭部に装着される端末装置に設問が表示されるので、装着者のみが設問を視認することが可能で、また装着者が端末装置に表示される情報以外の情報を視認することを防止する。従って不正行為の発生を防止することが可能である。また不正防止のためにカメラ等の設備を試験会場に設置する必要がない。さらに不正防止のための試験監督員の配備が不要であるため、装着者である受験者に対する心理的圧迫感を軽減する。
【０００８】
第２発明に係る通信システムは、第１発明において、前記設問情報は、設問の表示開始時刻を示す開始時刻情報が付加されてあり、前記表示処理手段は、前記設問情報に付加された開始時刻情報が示す表示開始時刻に到達後、設問を表示させる様にしてあることを特徴とする。
【０００９】
本発明では、開始時刻に到達後、設問を表示するので、時間前に設問を覗き見るという不正行為を防止することが可能である。また試験時期に基づく各受験者の時間的不公平の発生を排除することが可能である。
【００１０】
第３発明に係る通信システムは、第１発明又は第２発明において、前記端末装置は、装着後の着脱状態を検出する着脱検出手段を更に備え、前記表示手段は、前記着脱検出手段にて装着されていないと検出した場合に、以後の設問の表示を禁止する様にしてあることを特徴とする。
【００１１】
本発明では、端末装置を頭部から外して外部からの情報を得ることによる不正を防止することが可能である。
【００１２】
第４発明に係る通信システムは、第１発明乃至第３発明のいずれかにおいて、前記設問情報は、複数表示面分の設問の画像を含み、前記端末装置は、装着者の頭部又は眼球の動きを検出する動作検出手段を更に備え、該動作検出手段が、所定の動きを検出した場合に、前記表示処理手段は、表示している設問の画像と異なる設問の画像を表示する様にしてあることを特徴とする。
【００１３】
本発明では、頭部又は眼球を動かすことにより、他の設問を表示させることが可能である。
【００１４】
第５発明に係る通信システムは、第１発明乃至第４発明のいずれかにおいて、設問に対する回答を受け付ける回答装置を更に備え、該回答装置は、受け付けた回答を示す回答情報を生成する回答情報生成手段を備えることを特徴とする。
【００１５】
本発明では、回答に際してのシステム化を実現する。
【００１６】
第６発明に係る通信システムは、第５発明において、前記回答装置は、入力を受け付ける入力面を有するシート状をなしてあり、前記入力面に対する所定の入力具の接触位置を検出する接触位置検出手段を更に備え、前記回答情報生成手段は、前記接触位置検出手段が検出した接触位置及び／又は該接触位置の軌跡に基づいて回答情報を生成する様にしてあることを特徴とする。
【００１７】
本発明では、電子ペーパー等のシート状の回答装置を用いることにより、受験者である装着者は、回答装置の入力面上に指又は電子ペン等の入力具を用いて回答することが可能である。
【００１８】
第７発明に係る通信システムは、第５発明において、前記回答装置は、棒状をなす入力具であり、自らの一端の動きを検出する端部動作検出手段を更に備え、前記回答情報生成手段は、前記端部検出手段が検出した一端の軌跡に基づいて回答情報を生成する様にしてあることを特徴とする。
【００１９】
本発明では、電子ペン等の棒状の入力具を回答装置とすることにより、受験者である装着者は、入力具を用いて回答することが可能である。
【００２０】
第８発明に係る通信システムは、第５発明乃至第７発明のいずれかにおいて、前記回答装置は、前記端末装置の装着者を認証する認証手段を更に備え、前記回答情報生成手段は、前記認証手段が認証に成功した場合に限り、回答情報を生成する様に構成してあることを特徴とする。
【００２１】
本発明では、回答装置にて認証を行うことにより、装着者である受験者以外の者による回答を防止することが可能である。
【００２２】
第９発明に係る通信システムは、第５発明乃至第８発明のいずれかにおいて、前記回答装置は、前記回答情報生成手段が生成した回答情報を前記端末装置へ送信する手段を更に備え、前記端末装置は、受信した回答情報に基づく回答を前記表示部に表示させる手段を更に備えることを特徴とする。
【００２３】
本発明では、入力した回答が端末装置に表示されるため、装着者は回答した内容を視認することが可能である。
【００２４】
第１０発明に係る通信システムは、第９発明において、前記設問情報は、設問の表示を終了する時刻又は回答情報の受信を終了する時刻を示す終了時刻情報が付加されてあり、前記端末装置は、前記設問情報に付加された終了時刻情報が示す終了の時刻に到達後、解答の受付を禁止して回答情報を前記中央装置へ送信する手段を更に備え、該中央装置は、受信した回答情報を、装着者を識別する識別情報に対応付けて記録する手段を更に備えることを特徴とする。
【００２５】
本発明では、終了時刻に到達後、回答の受付を禁止して回答情報を中央装置へ送信することにより、時間終了後も回答を続けるという不正行為を防止することが可能である。また試験時期に基づく受験者の時間的不公平の発生を排除することが可能である。さらに回答を記した書類の回収等の作業に係る作業量を削減することが可能である。
【００２６】
第１１発明に係る通信方法は、通信可能な中央装置及び端末装置を用いた通信方法において、前記中央装置は、設問を示す設問情報を前記端末装置へ送信し、該端末装置は、人体の頭部に装着され、前記中央装置から受信した設問情報に基づく設問の画像を装着者の眼前に表示することを特徴とする。
【００２７】
本発明では、頭部に装着される端末装置に設問が表示されるので、装着者のみが設問を視認することが可能で、また装着者は端末装置に表示される情報以外の情報を視認することができない。従って不正行為の発生を防止することが可能である。また不正防止のためにカメラ等の設備を試験会場に設置する必要がない。さらに不正防止のための試験監督員の配備が不要であり、装着者である受験者に対する心理的圧迫感を軽減する。
【発明の効果】
【００２８】
本発明に係る通信システム及び通信方法は、人体の頭部に装着可能で、装着時に装着者の眼前に画像を表示する表示部を備える端末装置を用い、中央装置から受信した設問情報に基づく設問を端末装置の表示部に表示する。
【００２９】
この構成により、本発明では、例えばＣＢＴに関するシステムに適用した場合に、装着者のみが設問を視認することが可能である。また装着者が端末装置に表示される情報以外の情報を視認することを防止する様な形状にしても良い。従って不正行為の発生を防止することが可能である等、優れた効果を奏する。また不正防止のためにカメラ等の設備を試験会場に設置する必要がないので設備費用の増大を防止することが可能であり、また受験者が自宅で受験することを可能として地理的な不公平を是正することが可能である等、優れた効果を奏する。さらに不正防止のための試験監督員の配備が不要であるため試験監督員に要する費用を軽減することが可能であり、また試験監督員の監視による受験者に対する心理的圧迫感を軽減することが可能である等、優れた効果を奏する。
【００３０】
また本発明は、開始時刻に到達後、設問を表示し、終了時刻に到達後、設問に対する回答を示す回答情報を端末装置から中央装置へ送信することにより、例えばＣＢＴに関するシステムに適用した場合に、試験開始前の設問の不正閲覧、試験終了後の回答の改竄等の不正行為の発生を防止することが可能である等、優れた効果を奏する。また受験者が同時に受験することを可能として試験実施時刻による不公平を是正することが可能である等、優れた効果を奏する。なお本発明は、同時に試験を開始することを必須要件とするものではなく、受験者又は主催者の都合に応じた時刻に開始する様にし、試験時間が一定になる様に設定することも可能であり、この場合、試験実施に関する自由度を高めることも可能である等、優れた効果を奏する。
【００３１】
さらに本発明は、装着されている筈の端末装置が装着されていないことを検出した場合に、以後の設問の表示を禁止することにより、端末装置を頭部から外して外部からの情報を得ることによる不正を防止することが可能である等、優れた効果を奏する。
【００３２】
さらに本発明は、頭部又は眼球についての所定の動きを検出した場合に、異なる設問の画像を表示することにより、複数頁の試験問題を記載した冊子の頁をめくる作業を擬似的に表現することが可能である等、優れた効果を奏する。
【００３３】
さらに本発明は、入力面を有するシート状をなし、前記入力面に対する所定の入力具の接触位置を検出して回答の入力を受け付ける電子ペーパー、棒状をなし、自らの一端の動きを検出して回答の入力を受け付ける電子ペン等の回答装置を用いることが可能である。しかも回答装置に認証手段を設けることにより受験者以外の者が回答する不正行為を防止することが可能である等、優れた効果を奏する。
【発明を実施するための最良の形態】
【００３４】
以下、本発明をその実施の形態を示す図面に基づいて詳述する。図１は、本発明の通信システムの構成例を示す概念図である。図１を用いて説明する本発明の通信システムは、資格試験、検定試験、入学試験、昇進試験等の各種試験の実施に適用する例を示している。図１中１は、サーバコンピュータを用いた中央装置であり、中央装置１は、例えば試験の主催者により試験管理サーバとして管理されている。中央装置１には、ＬＡＮ（Local Area Network）、ＷＡＮ（Wide Area Network ）、ＶＰＮ（Virtual Private Network ）、ＷＬＡＮ（Wireless LAN）、インターネット等の通信網１００を介して、受験者が使用する端末装置２、第１回答装置３及び第２回答装置４が接続されている。なお通信網１００は、様々な装置を備え、各装置は有線通信又は無線通信にて相互に通信することが可能である。なお以降の説明において端末装置２、第１回答装置３及び第２回答装置４は、通信網１００が備えるアクセスポイントとして機能する無線通信装置と無線通信にて接続されているものとする。
【００３５】
端末装置２は、受験者の頭部に装着可能に構成され、装着時に装着者である受験者の眼前に画像を表示するＨＭＤ（Head Mount Display）等の装置である。第１回答装置３は、シート状をなす電子ペーパー等の装置である。第２回答装置４は、棒状の入力具である電子ペン等の装置である。なお端末装置２、第１回答装置３及び第２回答装置４は、全ての装置が必ずしも夫々通信網１００を介して通信する必要はなく、第１回答装置３及び第２回答装置４を、ＵＳＢ、ＩＥＥＥ１３９４等の通信規格に基づく有線通信にて接続し、端末装置２及び第１回答装置３をＢｌｕｅｔｏｏｔｈ（登録商標）等の近距離用無線通信にて接続する等、全ての装置が何らかの経路で情報をやりとりすることができれば適宜通信形態を設計することが可能である。
【００３６】
次に本発明の通信システムにて用いられる各種装置の構成について説明する。図２は、本発明の通信システムにて用いられる中央装置１の構成例を示すブロック図である。中央装置１は、装置全体を制御するＣＰＵ等の制御部１０と、本発明の中央装置用のコンピュータプログラム及び各種データ等の情報を記録するハードディスク等の記録部１１と、ＲＡＭ等の記憶部１２と、通信網１００に接続する通信ポート等の通信部１３と、時計、タイマとして機能する計時部１４とを備えている。そして中央装置１は、記録部１１に記録しているコンピュータプログラムを記憶部１２に記憶させ、制御部１０の制御にて実行することにより、本発明の装置としての各種処理を実行する。
【００３７】
さらに中央装置１は、各種情報の入力を受け付ける入力部１５及び各種情報を出力する出力部１６を備えている。入力部１５とは、キーボード、マウス等の一般的な入力デバイスの他、生体認証に用いる指の指紋、静脈、眼球の虹彩、網膜等の情報を採取する装置も含まれる。出力部１６は、モニタ、プリンタ等の装置である。なお中央装置１に接続する他の入出力用の装置を中央装置１の入力部１５及び出力部１６として用いても良い。
【００３８】
中央装置１が備える記録部１１の記録領域の一部は、受験者に関する情報を記録する受験者データベース（受験者ＤＢ）１１ａ、試験の種別に関する情報を記録する試験種別データベース（試験種別ＤＢ）１１ｂ、試験問題（設問）に関する情報を記録する試験問題データベース（試験問題ＤＢ）１１ｃ、試験問題の解答（設問に対する回答）に関する情報を記録する解答データベース（解答ＤＢ）１１ｄ等の各種データベースとして用いられている。なお記録部１１の記録領域の一部を各種データベースとして用いるのではなく、中央装置１に接続するデータベース用のコンピュータに各種データベースを記録する様にしても良い。
【００３９】
図３は、本発明の通信システムにて用いられる中央装置１が備える受験者データベース１１ａの記録内容を概念的に示す説明図である。受験者データベース１１ａには、受験番号、試験日付、試験種別、氏名、認証情報、端末装置ＩＤ、第１回答装置ＩＤ、第２回答装置ＩＤ等の受験者に関する各種情報が夫々対応付けられたレコードとして記録されている。受験番号とは、受験者を識別する識別情報である。試験日付とは、試験が実施される日付を示す情報である。試験種別とは、漢字検定試験、１級、２級等の試験の種別を示す種別情報である。氏名とは、受験者の氏名である。認証情報とは、受験者の認証に用いる記憶情報、生体情報等の情報である。記憶情報とは、例えば受験者であることを証明するために記憶するパスワード等の情報である。生体情報とは、生体認証に用いる指の指紋、静脈、眼球の虹彩、網膜等の情報である。端末装置ＩＤとは、受験者に使用させるべく受験者に貸与される端末装置２を識別する情報である。第１回答装置ＩＤとは、受験者に使用させるべく受験者に貸与される第１回答装置３を識別する情報である。第２回答装置ＩＤとは、受験者に使用させるべく受験者に貸与される第２回答装置４を識別する情報である。この様に受験者に関する情報が受験者毎に記録される。
【００４０】
図４は、本発明の通信システムにて用いられる中央装置１が備える試験種別データベース１１ｂの記録内容を概念的に示す説明図である。試験種別データベース１１ｂには、試験種別、試験日付、開始時刻、終了時刻等の試験に関する各種情報が夫々対応付けられたレコードとして記録されている。開始時刻とは、試験が開始される時刻であり、終了時刻とは、試験が終了する時刻である。この様に試験種別データベース１１ｂには、試験の実施に関する情報が試験の種別毎に記録される。
【００４１】
図５は、本発明の通信システムにて用いられる中央装置１が備える試験問題データベース１１ｃの記録内容を概念的に示す説明図である。試験問題データベース１１ｃには、試験種別、試験日付、問題内容等の試験問題に関する各種情報が夫々対応付けられたレコードとして記録されている。問題内容としては、複数画面分の試験問題を一画面ずつ表示可能な形式の問題情報（設問情報）が記録されている。ここでいう画面とは、ＨＭＤである端末装置２の画面であり、従来の紙媒体を用いて行われる試験冊子の頁に相当する。なお問題情報としては、画面毎の画像データであっても良く、問題番号及び問題内容を示す情報と書式を示す情報との組合せであっても良い。例えばＨＴＭＬ等のページ記述言語で記述された書式を示すデータ及び画像データの組合せとして実現する様にしても良い。この様に試験問題データベース１１ｃには、試験種別及び試験日付毎に試験の問題に関する情報が記録される。
【００４２】
図６は、本発明の通信システムにて用いられる中央装置１が備える解答データベース１１ｄの記録内容を概念的に示す説明図である。解答データベース１１ｄには、受験番号、試験日付、試験種別、問題番号、解答等の解答に関する各種情報が夫々対応付けられたレコードとして記録されている。解答データベース１１ｄに記録される解答とは、問題に対し受験者が解答した内容を示す情報であり、受験者が入力した内容に基づく画像データ、受験者が入力した入力内容の軌跡を画像処理等の方法により認識した文字データ等のデータとして記録される。この様に解答データベース１１ｄには、受験番号にて識別される受験者の解答が、試験日付、試験種別及び問題番号に対応付けて記録される。
【００４３】
図７は、本発明の通信システムにて用いられる端末装置２の構成例を示すブロック図である。端末装置２は、装置全体を制御するＣＰＵ等の制御部２０と、本発明の端末装置用のコンピュータプログラム及びデータ並びに端末装置ＩＤ等の各種情報を記録するＲＯＭ、ＲＡＭ等の記録部２１と、中央装置１、第１回答装置３及び第２回答装置４との通信に用いる通信部２２と、装着時に受験者の眼前に画像を表示する表示部２３と、装着後の着脱状態を検出する着脱検出部２４と、受験者の頭部又は眼球の動きを検出する動作検出部２５と、受験者を認証する認証部２６と、受験者の操作を受け付ける操作部２７と、時計、タイマとして機能する計時部２８とを備えている。そして端末装置２は、記録部２１に記録しているコンピュータプログラムを制御部２０の制御にて実行することにより、本発明の装置としての各種処理を実行する。
【００４４】
通信部２２は、例えばＷＬＡＮ用のアクセスポイントを介して通信網１００から中央装置１に接続し、また有線通信又は無線通信により第１回答装置３及び第２回答装置４に接続する一又は複数の通信ポートである。
【００４５】
表示部２３は、受験者が外部を視認することを防止すべく眼部を覆う様に構成されてあり、画像情報に基づいて画像を表示する。なお受験者が端末装置２を装着した場合に、試験開始前でも外部を視認することができない様にすると、受験者は周囲の状況が全く把握できないことになる。従ってＣＣＤカメラ等の外部を撮影する撮影部を配設し、撮影部が撮影した画像を表示部２３に表示するビデオ透過型ＨＭＤを端末装置２として用い、試験開始時刻までは撮影部が撮影した画像を表示部２３に表示する様にしても良い。また表示部２３としてハーフミラーを用いた光学透過ＨＭＤを端末装置２として用い、試験開始後、外部からの入射光を遮断する様にしても良い。
【００４６】
着脱検出部２４は、機械的機構、電子的機構等の機構により、受験者が一度装着した端末装置２の着脱状態を検出する。機械的機構としては、例えば人体との接触状況を検出する弾性体を用いた接触検出部等の各種機構が用いられる。電子的機構としては、人体との接触箇所に配設される感圧素子、感温素子、表示部２３に配設されて眼球の動きを検出する眼球センサ等の各種センサが用いられる。
【００４７】
動作検出部２５は、受験者の頭部の動きを検出するジャイロセンサ等の機構を用いて自らの姿勢及び動きを検出する加速度センサ、眼球の動きを検出する眼球センサ等の各種センサを用いて構成される。
【００４８】
認証部２６は、例えば認証情報として網膜情報を用いる場合は網膜センサ等のセンサが用いられ、網膜センサが検出した網膜情報と予め登録されている認証情報とを照合することにより認証処理を実行する。パスワード等の記憶情報を用いる場合、認証部２６は、操作部２７が受け付けたパスワード等の記憶情報と予め登録されている認証情報とを照合することにより認証処理を実行する。
【００４９】
なお上述した構成は無限に存在する本発明の端末装置２の一例であり、例えば一の網膜センサを用いて着脱検出部２４、動作検出部２５及び認証部２６を構成する等、様々な形態に展開することが可能である。また端末装置２の形状は、図１に示した様に装着した受験者の視野を表示部２３に限定する形状とすることが不正防止の観点からは望ましい。但し、端末装置２は、装着者（受験者）の視野を限定するものに限らず、一般的に使用されている眼鏡の様にレンズ及びフレームを用いて形成し、装着者が視線をずらすことでレンズの縁部の外側から外部を視認することができる様にして構成することも可能である。一般的な眼鏡の形状で端末装置２を形成した場合、レンズに相当する部位を表示部２３として画像を表示することになる。この様に受験者の視野を或る程度限定しながらも、外部の視認を可能とすることで、辞書等の資料の持ち込みが許可された試験に適用することが可能となる。但し、受験者が外部を視認することが可能な様に構成したとしても、装着者以外の者が表示部２３に表示された画像を視認することができない様に構成することが望ましい。
【００５０】
図８は、本発明の通信システムにて用いられる第１回答装置３の外観の一例を示す斜視図である。第１回答装置３は、四角形のシート状をなす入出力部３４と、入出力部３４の一辺に取り付けられた筐体部３ａとを備える構成である。また筐体部３ａでは、各種制御及び各種通信が行われる。なお四角形のシート状をなす四辺を囲む枠状に筐体部３ａを取り付ける様にしても良い。
【００５１】
図９は、本発明の通信システムにて用いられる第１回答装置３の構成例を示すブロック図である。第１回答装置３は、装置全体を制御する制御部３０と、本発明の第１回答装置用のコンピュータプログラム及びデータ並びに第１回答装置ＩＤ等の各種情報を記録するＲＯＭ、ＲＡＭ等の記録部３１と、中央装置１、端末装置２及び第２回答装置４との通信に用いる通信部３２と、受験者の操作を受け付ける操作部３３と、画像の表示及び入力の受付を行う入出力部３４と、時計、タイマとして機能する計時部３５とを備えている。なお制御部３０、記録部３１、通信部３２、操作部３３及び計時部３５は筐体部３ａに組み込まれている。そして第１回答装置３は、記録部３１に記録しているコンピュータプログラムを制御部３０の制御にて実行することにより、本発明の装置としての各種処理を実行する。
【００５２】
通信部３２は、例えばＷＬＡＮ用のアクセスポイントを介して通信網１００から中央装置１に接続し、また有線通信又は無線通信により端末装置２及び第２回答装置４に接続する一又は複数の通信ポートである。
【００５３】
入出力部３４は、画像を表示する表示面を有する出力層３４０及び出力層３４０の表示面に対する入力を受け付ける入力面を含む入力層３４１を有している。出力層３４０は、電気泳動方式、帯電トナー型表示方式、液晶表示方式等の技術を用いた表示デバイスであり、制御部３０の制御により、表示面に画像を表示する。入力層３４１は、感圧方式、静電方式等の技術を用いた入力デバイスであり、受験者が第２回答装置４にて触れることにより、接触を検知し、接触点及びその軌跡を情報として受け付ける。入力層３４１が感圧方式である場合、入出力部３４は、出力層３４０を受験者に対向する外側とし入力層３３１を内側とする二層構造として形成され、入力層３４１が静電方式である場合、出力層３４０を内側とし入力層３４１を外側とする二層構造として形成される。
【００５４】
図１０は、本発明の通信システムにて用いられる第２回答装置４の構成例を示すブロック図である。第２回答装置４は、装置全体を制御する制御部４０と、本発明の第２回答装置用のコンピュータプログラム及びデータ並びに第２回答装置ＩＤ等の各種情報を記録するＲＯＭ、ＲＡＭ等の記録部４１と、中央装置１、端末装置２及び第１回答装置３との通信に用いる通信部４２と、自らの一端であるペン先の動きを検出する動作検出部４３と、受験者を認証する認証部４４と、受験者の操作を受け付ける操作部４５と、時計、タイマとして機能する計時部４６とを備えている。そして第２回答装置４は、記録部４１に記録しているコンピュータプログラムを制御部４０の制御にて実行することにより、本発明の装置としての各種処理を実行する。
【００５５】
通信部４２は、例えばＷＬＡＮ用のアクセスポイントを介して通信網１００から中央装置１に接続し、また有線通信又は無線通信により端末装置２及び第２回答装置４に接続する一又は複数の通信ポートである。
【００５６】
動作検出部４３は、自らの姿勢及び動きを検出する加速度センサ等の各種センサを用いて構成される。例えばペン先の動きを検出するジャイロセンサ等の機構が用いられる。そして第２回当装置４は、動作検出部４３が検出したペン先の軌跡を情報として受け付ける。例えば受験者が第２回答装置４を把持し、押釦として配設されている操作部４５を押下した状態で、筆記動作を行うことにより、動作検出部４３は、ペン先の軌跡を解答として受け付ける。
【００５７】
認証部４４は、例えば認証情報として指の指紋、静脈を用いる場合は、指紋センサ、静脈センサ等のセンサが用いられ、指紋センサが検出した指紋情報、静脈センサが検出した静脈情報等の情報と、予め登録されている認証情報とを照合することにより認証処理を実行する。パスワード等の記憶情報を用いる場合、認証部４４は、操作部４５が受け付けたパスワード等の記憶情報と予め登録されている認証情報とを照合することにより認証処理を実行する。
【００５８】
上述した第１回答装置３及び第２回答装置４の各機能は、必ずしも全てを要するわけではなく、システムの運用形態に応じて適宜設計を変更することが可能である。例えば第１回答装置３の入力層３４１の接触の軌跡に基づいて解答を受け付ける場合、第２回答装置４の動作検出部４３は不要である。また第２回答装置４の動作検出部４３の動作の軌跡に基づいて解答を受け付ける場合、第１回答装置３そのものを無くすことも可能である。
【００５９】
次に本発明の通信システムが備える各種装置の処理について説明する。図１１は、本発明の通信システムにて用いられる中央装置１の受験者情報登録処理の一例を示すフローチャートである。受験を所望する受験者は、中央装置１の入力部１５を用いて受験者情報を入力することにより、試験の申込を行う。中央装置１は、制御部１０の制御に基づいて、入力部１５から、試験種別、氏名、認証情報等の受験者情報の入力を受け付け（Ｓ１０１）、入力された受験者に対して、受験番号、試験日付、端末装置ＩＤ、第１回答装置ＩＤ、第２回答装置ＩＤ等の情報を付与し、付与した情報を含む受験者情報を受験者データベース１１ａに記録する（Ｓ１０２）。ステップＳ１０１の受験者情報の入力は、中央装置１が受け付けることができるのであれば、必ずしも入力部１５を用いる必要はなく、例えば通信網１００を介しての通信により入力する様にしても良く、また受験者がＩＣメモリ等の記録媒体に受験者情報を記録して試験の主催者に提出し、試験の主催者が記録媒体に記録されている受験者情報を中央装置１に入力する等、適宜設計することが可能である。さらに端末装置ＩＤ、第１回答装置ＩＤ及び第２回答装置ＩＤ等の情報は、受験者に配付する端末装置２、第１回答装置３及び第２回答装置４が決定してから追加記録する様にしても良い。この様にして受験者情報登録処理が実行される。
【００６０】
試験の主催者は、受験者に対し、試験開始までに受験番号等の受験に要する情報を通知し、また受験に要する端末装置２、第１回答装置３及び第２回答装置４を配付する。なお特定の試験会場に受験者が出向く場合には、端末装置２、第１回答装置３及び第２回答装置４は、試験会場に配付又は設置される。なお便宜上、受験番号としているが、必ずしも数列による番号である必要はなく、英文字、記号等の符号が含まれていても良く、更には一次元又は二次元のバーコードとして配付する様にしても良い。
【００６１】
図１２は、本発明の通信システムにて用いられる中央装置１、端末装置２、第１回答装置３及び第２回答装置４の試験開始前処理の一例を示すフローチャートである。受験者は、端末装置２の操作部２７、第１回答装置３の操作部３３及び第２回答装置４の操作部４５に対する所定の入力操作、例えばスイッチをオンすることにより、端末装置２、第１回答装置３及び第２回答装置４を起動する。受験者は、端末装置２を頭部に装着し、第１回答装置３に対して受験者を特定する受験番号、試験種別、氏名等の特定情報を入力する。第１回答装置３は、制御部３０の制御により、操作部３３又は入出力部３４から特定情報の入力を受け付け（Ｓ２０１）、受け付けた特定情報を通信部３２から中央装置１へ送信する（Ｓ２０２）。ステップＳ２０１では、例えば第１回答装置３は、入出力部３４に特定情報の入力を要求する受付画面を表示し、受験者が第２回答装置４を用いて、受付画面内の所定の位置に入力することにより行われる。また操作部３３としてテンキーが配設されている場合、操作部３３に受験番号等の特定情報を入力することにより、ステップＳ２０１の入力の受付が行われる。また第１回答装置３にバーコードリーダ等の光学読取手段を配設し、バーコードである受験番号等の特定情報を読み取る様にしても良い。なお第１回答装置３が受け付けた受験番号等の特定情報は、第１回答装置３の記録部３１に記録される。さらに第１回答装置３に生体情報を読み取る読取手段を配設し、読取手段により生体情報を特定情報として読み取る様にしても良い。
【００６２】
中央装置１は、制御部１０の制御に基づいて、通信部１３にて特定情報を受信し（Ｓ２０３）、受信した受験番号、試験種別、氏名等の特定情報を受験者データベース１１ａの記録内容と照合し、照合により特定情報が正当であると判定した場合、受信した特定情報及びその日の日付が合致する受験番号、試験種別、氏名及び試験日付に対応付けられたレコードを、受験者データベース１１ａから検索し、検索したレコードに含まれる認証情報、端末装置ＩＤ、第１回答装置ＩＤ及び第２回答装置ＩＤを抽出する（Ｓ２０４）。なお特定情報に生体情報が含まれている場合には、含まれている生体情報を認証情報と照合することにより正当性を判定する。なお特定情報が正当ではないと判定された場合、受験者及び試験管理者への通知等の所定の異常処理が実行される。
【００６３】
さらに中央装置１は、制御部１０の制御に基づいて、試験種別及び試験日付に対応するレコードを試験種別データベース１１ｂから検索し、検索したレコードに含まれる開始時刻情報及び終了時刻情報を抽出する（Ｓ２０５）。
【００６４】
さらに中央装置１は、制御部１０の制御に基づいて、試験種別及び試験日付に対応するレコードを試験問題データベース１１ｃから検索し、検索したレコードに含まれる問題内容を問題情報（設問情報）として抽出する（Ｓ２０６）。
【００６５】
そして中央装置１は、制御部１０の制御に基づいて、ステップＳ２０４にて抽出した端末装置ＩＤにて識別される端末装置２へ、ステップＳ２０６にて抽出した問題情報並びにステップＳ２０５にて抽出された開始時刻を示す開始時刻情報及び終了時刻を示す終了時刻情報を通信部１３から送信する（Ｓ２０７）。なお端末装置ＩＤに基づく送信は、端末装置２に対し、グローバルＩＰアドレスを付与し、付与したグローバルＩＰアドレスを端末装置ＩＤとすることにより実現することができる。但し、端末装置ＩＤはグローバルＩＰアドレスに限らず、通信に用いることが可能な情報、又はその情報に関連付けられた情報であればどのような情報を用いてもよい。また端末装置２に対し、ステップＳ２０４にて抽出した第１回答装置ＩＤ及び第２回答装置ＩＤが送信される。
【００６６】
また中央装置１は、制御部１０の制御に基づいて、ステップＳ２０４にて抽出した第２回答装置ＩＤにて識別される第２回答装置４へ、ステップＳ２０４にて抽出した認証情報を通信部１３から送信する（Ｓ２０８）。第２回答装置ＩＤに基づく送信は、第２回答装置４に対し、グローバルＩＰアドレスを付与し、付与したグローバルＩＰアドレスを第２回答装置ＩＤとすることにより実現することができる。但し、第２回答装置ＩＤはグローバルＩＰアドレスに限らず、通信に用いることが可能な情報、又はその情報に関連付けられた情報であればどのような情報を用いてもよい。また第２回答装置４に対し、ステップＳ２０４にて抽出した端末装置ＩＤ及び第１回答装置ＩＤが送信され、第１回答装置３に対し、ステップＳ２０４にて抽出した端末装置ＩＤ及び第２回答装置ＩＤが送信される。
【００６７】
端末装置２は、制御部２０の制御に基づいて、通信部２２にて問題情報並びに開始時刻情報及び終了時刻情報を受信し（Ｓ２０９）、受信した問題情報、開始時刻情報及び終了時刻情報を記録部２１に記録する（Ｓ２１０）。なお中央装置１及び端末装置２間の通信に際し、中央装置１が備える計時部１４及び端末装置２が備える計時部２８との時刻同期が行われる。
【００６８】
第２回答装置４は、制御部４０の制御に基づいて、通信部４２にて認証情報を受信し（Ｓ２１１）、受信した認証情報を記録部４１に記録する（Ｓ２１２）。
【００６９】
なお中央装置１から端末装置２及び第２回答装置４へ夫々情報を送信するのではなく、全ての情報を端末装置１及び第２回答装置４の一方の装置へ送信し、一方の装置から他方の装置へ必要な情報を送信する様にしても良い。また中央装置１から第１回答装置３へ、解答用紙の画像を示す解答用紙情報並びに開始時刻情報及び終了時刻情報を送信する様にしても良い。さらに問題情報、認証情報等の必要な情報が既に記録された状態の端末装置２、第１回答装置３及び第２回答装置４を受験者に配付する様にしても良い。但し、この場合、配付された各装置の受け取りに際し、受験者の認証が必要となる。この様にして試験開始前処理が実行される。
【００７０】
図１３は、本発明の通信システムにて用いられる端末装置２の試験開始処理の一例を示すフローチャートである。試験開始前処理が実行された後、受験者は、端末装置２を頭部に装着し、試験開始時刻に到達するまで待機する。なお試験開始時刻に到達するまで端末装置２の表示部２３に問題は表示されない。但し、問題情報に含まれている試験に関する注意事項のみを表示する様にしても良い。また例えば端末装置２がビデオ透過型ＨＭＤである場合、表示部２３には撮影部にて撮影された外部の画像が表示される。さらに端末装置２が光学透過ＨＭＤである場合、表示部２３は、外部からの入射光が透過する状態となる。端末装置２は、制御部２０の制御に基づいて、記録部２１に記録した開始時刻情報が示す開始時刻及び計時部２８が示す現在の時刻を比較し、開始時刻に到達したか否かを判定する（Ｓ３０１）。
【００７１】
ステップＳ３０１において、開始時刻に到達したと判定した場合（Ｓ３０１：ＹＥＳ）、端末装置２は、制御部２０の制御に基づいて、着脱検出部２４にて受験者が装着しているか否かを判定する（Ｓ３０２）。ステップＳ３０２の着脱の判定に際し、端末装置２が網膜センサを備えている場合、予め中央装置１から送信された認証情報である受験者の網膜情報を記録部２１に記録しておき、網膜情報による認証処理を併用する様にしても良い。
【００７２】
ステップＳ３０２において、装着していると判定した場合（Ｓ３０２：ＹＥＳ）、端末装置２は、制御部２０の制御に基づいて、記録部２１に記録した問題情報に含まれている最初の表示面に表示する問題を、表示部２３に表示する（Ｓ３０３）。ステップＳ３０３にて表示部２３に問題の画像を受験者の眼前に表示することにより、受験者は問題を視認することが可能となる。
【００７３】
ステップＳ３０１において、開始時刻に到達していないと判定した場合（Ｓ３０１：ＮＯ）、又はステップＳ３０２において、装着していないと判定した場合（Ｓ３０２：ＮＯ）、端末装置２は、制御部２０の制御に基づいて、ステップＳ３０１に戻り、以降の処理を繰り返す。この様にして端末装置２の試験開始処理が実行される。
【００７４】
図１４は、本発明の通信システムにて用いられる第１回答装置３及び第２回答装置４の試験開始処理の一例を示すフローチャートである。試験開始に際し、第１回答装置３及び第２回答装置４は、互いのグローバルＩＰアドレスに基づく通信網１００を介した通信により、又は有線通信或いは無線通信による直接の通信により、通信可能な状態になっている。また第１回答装置３は、中央装置１又は端末装置２或いは第２回答装置４から開始時刻情報及び終了時刻情報を受信し、記録部３１に記録した状態となっている。受験者は、例えば第２回答装置４が備える指紋センサである認証部４４を指先で触れることにより、第２回答装置４に認証処理を実行させる。第２回答装置４は、制御部４０の制御に基づいて、認証部４４により指紋情報等の認証情報を受け付け（Ｓ４０１）、受け付けた認証情報と、記録部４１に記録した認証情報との照合に基づく認証処理を実行する（Ｓ４０２）。
【００７５】
認証処理により、受験者の正当性を検証後、第２回答装置４は、制御部４０の制御に基づいて、自らを識別する第２回答装置ＩＤを、通信部４２から第１回答装置３へ送信する（Ｓ４０３）。なおステップＳ４０２にて認証が失敗であると判定した場合、所定回数以内での認証処理の繰り返し、処理の終了等の異常処理が実行される。
【００７６】
第１回答装置３は、制御部３０の制御に基づいて、通信部３２にて第２回答装置ＩＤを受信し（Ｓ４０４）、受信した第２回答装置ＩＤを、予め中央装置１から送信され記録部３１に記録してある第２回答装置ＩＤと照合することにより、第２回答装置４の正当性を検証する検証処理を実行する（Ｓ４０５）。
【００７７】
検証処理により、第２回答装置４の正当性を検証後、第１回答装置３は、制御部３０の制御に基づいて、記録部３１に記録した開始時刻情報が示す開始時刻及び計時部３５が示す現在の時刻を比較し、開始時刻に到達したか否かを判定する（Ｓ４０６）。なおステップＳ４０５にて第２回答装置４が不正な装置であると判定した場合、所定回数以内での検証処理の繰り返し、処理の終了、所定の情報の表示及び通知等の所定の異常処理が実行される。
【００７８】
ステップＳ４０６において、開始時刻に到達したと判定した場合（Ｓ４０６：ＹＥＳ）、第１回答装置３は、第２回答装置４の接触による解答の受け付けが可能な状態となる（Ｓ４０７）。
【００７９】
ステップＳ４０６において、開始時刻に到達していないと判定した場合（Ｓ４０６：ＮＯ）、第１回答装置３は、制御部３０の制御に基づいて、ステップＳ４０６に戻り、以降の処理を繰り返す。この様にして試験開始に際し、第１回答装置３及び第２回答装置４の試験開始処理が実行される。なお電子ペンである第２回答装置４を受験者が把持した場合に、受験者の指が接触する位置に指紋を検出する認証部４４を配設し、試験中も所定の時間間隔で認証部４４による認証を断続的に行う様にしても良く、その場合、試験中に第２回答装置４を把持する者が交替し解答するという不正を防止することが可能となる。
【００８０】
図１５は、本発明の通信システムにて用いられる端末装置２の問題表示処理の一例を示すフローチャートである。端末装置２を装着した受験者は、頭部又は眼球を動かすことにより、表示部２３に表示させる問題の頁を切り替えることができる。端末装置２は、制御部２０の制御に基づいて、動作検出部２５により、装着している受験者の頭部又は眼球の動きを検出し（Ｓ５０１）、予め設定されている所定の動きであるか否かを判定する（Ｓ５０２）。ステップＳ５０１では、例えば受験者が頭部を左又は右に動かす動作、俯く動作、仰ぐ動作等の頭部の動作を検出する。また例えば受験者が眼球を、左右上下に動かす動作、瞬きする動作等の眼球の動作を検出する。なお頭部を左（右）に動かす動作とは、動作検出部２５が検出可能な動作であれば、頭部のみをひねる様にしても良く、また体全体を動かす様にしても良い。
【００８１】
ステップＳ５０２において、検出した動きが所定の動きであると判定した場合（Ｓ５０２：ＹＥＳ）、端末装置２は、制御部２０の制御に基づいて、検出した所定の動きに対応付けて予め設定されている処理として、表示している問題の画像と異なる問題の画像を表示部２３に表示する（Ｓ５０３）。
【００８２】
ステップＳ５０２において、検出した動きが所定の動きではないと判定した場合（Ｓ５０２：ＮＯ）、端末装置２は、制御部２０の制御により、ステップＳ５０１に戻り、以降の処理を繰り返す。
【００８３】
ステップＳ５０１〜Ｓ５０３の処理について具体的な例を説明する。前述した様に問題情報には、複数画面分の試験問題が含まれている。この複数の画面の夫々を仮想的な問題冊子の夫々の頁として扱う。そして例えば受験者が頭部を左に動かした場合に、次の頁の問題を表示し、右に動かした場合に、前の頁の問題を表示する。更に動きの速度、頭部の角度に応じて最初の頁の問題又は最後の頁の問題を表示する様にする等、動作に対応付けて表示処理を適宜設定することも可能である。また頁の切替の様に不連続な画面を表示するのではなく、縦方向に長く一画面で表示することができない画面を表示し、仰ぐ動作をした場合には、画面を上方向へスクロールし、俯く動作をした場合には、画面を下方向へスクロールするという様に、連続的に画面の表示を変更する様にしても良い。但し、例えば押釦として配設されている操作部２７を押下している時、瞼が閉じられている時、俯いた状態の時、第１回答装置３又は第２回答装置４に対して所定の操作を行っている時等の所定の条件を満足した時に限り、頭部の動きに基づき画面を更新するステップＳ５０１〜Ｓ５０３の処理を実行する様に制御することで、頭部を一方向に動かし続けることによる問題、無意識の動作による頁の更新等の不具合を回避することができる。この様にして問題表示処理が実行される。
【００８４】
図１６は、本発明の通信システムにて用いられる端末装置２、第１回答装置３及び第２回答装置４の第１解答処理の一例を示すフローチャートである。第１解答処理とは、試験開始処理及び問題表示処理により端末装置２に表示された問題に対し、第１回答装置３及び第２回答装置４を用いて解答する処理である。受験者は、端末装置２に表示された問題を視認し、解答を行う場合、解答の対象となる問題を指定する操作を行う。問題を指定する操作は、例えば第２回答装置４に配設されている操作部４５を用い、解答する問題が表示している状態で押釦である操作部４５の押下等の所定の操作により行われる。第２回答装置４は、制御部４０の制御に基づいて、操作部４５から解答する問題を指定する操作を受け付け（Ｓ６０１）、端末装置２に、問題を選択する問題選択モードの状態から受験者に解答させる解答モードの状態へ遷移させるべく、解答状態遷移命令を通信部４２から端末装置２へ送信する（Ｓ６０２）。さらに第２回答装置４は、制御部４０の制御に基づいて、解答状態遷移命令を通信部４２から第１回答装置３へ送信する（Ｓ６０３）。
【００８５】
端末装置２は、制御部２０の制御に基づいて、通信部２２にて解答状態遷移命令を受信し（Ｓ６０４）、受信した解答状態遷移命令に基づいて、表示している問題を固定する（Ｓ６０５）。端末装置２は、ステップＳ６０５にて問題を固定することにより、問題表示処理を実行する問題選択モードから解答モードに遷移する。なお問題を固定すると共に、固定した問題に対する解答を受け付ける解答用紙の画像を、表示部２３に表示する様にしても良い。表示部２３に解答用紙の画像を表示する場合、問題の画像と切り替えて表示する様にしても良く、また問題の画像及び解答用紙の画像を並べて表示する様にしても良い。なお試験中に必要に応じて外部の状況を視認することができる様に設定するのであれば、解答用紙の画像を端末装置２から第１回答装置３へ送信し、第１回答装置３が受信した画像に基づいて、当該問題の解答用紙の画像を入出力部３４に表示する様にしても良い。この様な処理は、解答用紙の画像を示す情報を、問題情報に付加して中央装置１から端末装置２へ送信しておくことで実現することが可能である。
【００８６】
第１回答装置３は、制御部３０の制御に基づいて、通信部３２にて解答状態遷移命令を受信し（Ｓ６０６）、解答の受付を開始する（Ｓ６０７）。第１回答装置３は、ステップＳ６０７にて解答の受付を開始することにより、解答モードに遷移する。
【００８７】
受験者は、解答する操作として、電子ペンである第２回答装置４を用いて、電子ペーパーである第１回答装置３の入出力部３４上に解答を記入する動作を行う。第１回答装置３は、制御部３０の制御に基づいて、入出力部３４の入力層３４１にて、第２回答装置４の接触位置を検出し（Ｓ６０８）、検出した接触位置及びその軌跡に基づいて解答を示す解答情報を生成し（Ｓ６０９）、生成した解答情報を通信部３２から端末装置２へ送信する（Ｓ６１０）。なおステップＳ６０８〜Ｓ６０９の第２回答装置４を用いて第１回答装置３上に解答を記入する操作及び処理については、既存の技術を適宜採用することで利便性、操作性等の性能を向上させることができる。例えば第２回答装置４の操作部４５を操作することにより、解答の記入、訂正等の処理の使い分けを行うことが可能となる。ステップＳ６０９〜Ｓ６１０の解答情報の生成及び送信は、第１回答装置３が接触位置の履歴を記録部３１に蓄積し、０．１秒等の所定の間隔で、蓄積した接触位置の軌跡に基づいて解答情報を生成し、生成した解答情報を端末装置２へ送信する処理を繰り返す。解答情報の形式は、接触位置の軌跡に基づく画像情報、接触位置を示す座標の履歴に基づく座標列等の形式が用いられる。なお所定の間隔で解答情報の生成及び送信を行うのではなく、受験者が第１回答装置３又は第２回答装置４に対して所定の操作を行った場合に実行する様にしても良い。また第２回答装置４は、試験開始処理にて説明した認証部４４による認証を、解答中も断続的に実行しており、認証が成功している期間に限り、ステップＳ６０８〜Ｓ６０９による接触情報の検出及び解答情報の生成処理が実行される。
【００８８】
端末装置２は、制御部２０の制御に基づいて、通信部２２にて解答情報を受信し（Ｓ６１１）、受信した解答情報に基づく解答を表示部２３に表示する（Ｓ６１２）。解答情報に基づく解答は、例えば既に表示されている解答用紙の画像に重畳して表示することにより、受験者は、解答用紙に解答を書き込む行為を行う間隔で、解答することが可能となる。なお試験中に必要に応じて外部の状況を視認することができる様に設定しているのであれば、第１回答装置３の入出力部３４に解答を表示する様にしても良い。但し、外部の状況を視認することができない様にし、解答の内容を表示部２３のみに表示する構成とすることにより、端末装置２を装着している受験者以外は解答の内容を認識することができないので、不正が行われる可能性を低減することが可能である。
【００８９】
そして受験者は、端末装置２に表示された解答を視認し、当該問題に対する解答を終了する場合、解答完了の操作を行う。解答完了の操作は、例えば第２回答装置４に配設されている操作部４５を用い、解答する問題が表示している状態で押釦である操作部４５の押下等の所定の操作により行われる。第２回答装置４は、制御部４０の制御に基づいて、操作部４５から解答完了の操作を受け付け（Ｓ６１３）、端末装置２に、解答モードの状態から問題選択モードの状態へ遷移させるべく、解答完了命令を通信部４２から端末装置２へ送信する（Ｓ６１４）。さらに第２回答装置４は、制御部４０の制御に基づいて、解答完了命令を通信部４２から第１回答装置３へ送信する（Ｓ６１５）。
【００９０】
端末装置２は、制御部２０の制御に基づいて、通信部２２にて解答完了命令を受信し（Ｓ６１６）、受信した解答完了命令に基づき、解答に係る問題を示す問題番号に対応付けて解答情報を記録部２１に記録する（Ｓ６１７）。端末装置２は、ステップＳ６１６にて解答情報を固定することにより、解答モードから問題選択モードに遷移する。なお問題選択モードに遷移後、既に解答している問題が解答する問題として再度選択された場合、記録している解答情報に基づく解答を記録部２１から読み出し、解答に対する追記、削除、変更等の修正を行うことが可能である。
【００９１】
第１回答装置３は、制御部３０の制御に基づいて、通信部３２にて解答完了命令を受信し（Ｓ６１８）、解答の受付を終了する（Ｓ６１９）。この様にして第１解答処理が終了する。
【００９２】
第１解答処理として、第１回答装置３及び第２回答装置４を用いて解答を受け付ける形態を示したが、本発明はこれに限らず、第１回答装置３を用いずに、第２回答装置４にて解答の受け付け及び解答情報の生成を行うことも可能である。そこで第２解答処理として、第２回答装置４にて解答の受け付け及び解答情報の生成を行う形態について説明する。
【００９３】
図１７は、本発明の通信システムにて用いられる端末装置２及び第２回答装置４の第２解答処理の一例を示すフローチャートである。受験者は、解答の対象となる問題を指定する操作を行う。第２回答装置４は、制御部４０の制御に基づいて、操作部４５から解答する問題を指定する操作を受け付け（Ｓ７０１）、端末装置２に、問題を選択する問題選択モードの状態から受験者に解答させる解答モードの状態へ遷移させるべく、解答状態遷移命令を通信部４２から端末装置２へ送信する（Ｓ７０２）。
【００９４】
端末装置２は、制御部２０の制御に基づいて、通信部２２にて解答状態遷移命令を受信し（Ｓ７０３）、受信した解答状態遷移命令に基づいて、表示している問題を固定する（Ｓ７０４）。
【００９５】
受験者は、解答する操作として、電子ペンである第２回答装置４を用いて、適当なシート等の有体物、又は空間に対し、解答を記入する動作を行う。第２回答装置４は、制御部４０の制御に基づいて、動作検出部４３により、自らの一端であるペン先の動きを検出し（Ｓ７０５）、検出したペン先の軌跡に基づいて解答を示す解答情報を生成し（Ｓ７０６）、生成した解答情報を通信部４２から端末装置２へ送信する（Ｓ７０７）。ステップＳ７０５〜Ｓ７０７の処理は、例えば第２回答装置４に配設された操作部４５を押下している時に限り実行される。即ち受験者は、空間上に解答を行うのである。以降の処理については、第１解答処理のステップＳ６１１以降の処理と同様であるので、第１解答処理を参照するものとし、その説明を省略する。但し、使用されていない第１回答装置３に関する処理が実行されないことは言うまでもない。この様にして第２解答処理が実行される。
【００９６】
図１８は、本発明の通信システムにて用いられる端末装置２の着脱検出処理の一例を示すフローチャートである。端末装置２を一度装着した受験者が、例えば不正に他の者に問題を視認させるべく他の者に端末装置２を装着させることを防止する処理として、本発明の端末装置２は、試験中に着脱検出処理を実行する。端末装置２は、制御部２０の制御に基づいて、着脱検出部２４により、着脱状態を検出し（Ｓ８０１）、検出結果に基づいて装着されているか否かを判定する（Ｓ８０２）。ステップＳ８０１〜Ｓ８０２の検出及び判定においては、例えば頭部の揺れ、端末装置２のズレ等の要因により、装着されているにも拘わらず、装着されていないと検出される可能性があるため、ステップＳ８０１にて１０秒以上連続して装着されていないと検出した場合に、ステップＳ８０２にて装着されていないと判定する等、適宜条件設定を行うことが望ましい。
【００９７】
ステップＳ８０２において、装着されていると判定した場合（Ｓ８０２：ＹＥＳ）、端末装置２は、制御部２０の制御により、ステップＳ８０１に戻り、以降の処理を繰り返す。
【００９８】
ステップＳ８０２において、装着されていないと判定した場合（Ｓ８０２：ＮＯ）、端末装置２は、制御部２０の制御により、問題の表示及び解答の受付を禁止する（Ｓ８０３）。ステップＳ８０３の解答の受付の禁止に際しては、必要に応じて第１回答装置３及び第２回答装置４に対し、受付禁止命令が送信される。端末装置２が装着している状態から外された場合に、問題の表示及び解答の受付を禁止することにより、受験者が他者に問題を視認させるという不正行為を防止することが可能となる。この様にして着脱検出処理が実行される。
【００９９】
図１９は、本発明の通信システムにて用いられる中央装置１及び端末装置２の試験終了処理の一例を示すフローチャートである。端末装置２は、制御部２０の制御に基づいて、記録部２１に記録した終了時刻情報が示す終了時刻及び計時部２８が示す現在の時刻を比較し、終了時刻に到達したか否かを判定する（Ｓ９０１）。
【０１００】
ステップＳ９０１において、終了時刻に到達したと判定した場合（Ｓ９０１：ＹＥＳ）、端末装置２は、制御部２０の制御に基づいて、解答の受付を禁止して問題及び解答の表示部２３への表示を終了し（Ｓ９０２）、記録部２１に記録している問題番号に対応付けられた解答情報及び受験番号を通信部２２から中央装置１へ送信する（Ｓ９０３）。なお解答中の問題に関しては、強制的に解答の受付を終了し、終了した段階での解答に係る解答情報を問題番号に対応付けて記録し、中央装置１へ送信する。また前述した着脱検出処理により設問の表示及び解答の受付を禁止された場合、禁止されるまでの内容に基づく解答情報等が中央装置１へ送信される。急病等の事由により、やむなく端末装置２を外す場合も考えられるため、端末装置２を外すまでの解答は有効であるものとする。但し、この様な救済措置及び不正と見なされる場合の制裁措置は適宜設定される。
【０１０１】
中央装置１は、制御部１０の制御に基づいて、通信部１３にて、問題番号及び解答情報並びに受験番号を受信し（Ｓ９０４）、受信した問題番号及び解答情報並びに受験番号を、試験日付及び試験種別と対応付けて解答データベース１１ｄに記録する（Ｓ９０５）。
【０１０２】
ステップＳ９０１において、終了時刻に到達していないと判定した場合（Ｓ９０１：ＮＯ）、端末装置２は、制御部２０の制御に基づいて、ステップＳ９０１に戻り、以降の処理を繰り返す。この様にして試験終了処理が実行される。
【０１０３】
そして試験の主催者は、解答データベース１１ｄに記録されている解答情報が示す解答を採点し、その結果を受験者に通知する。採点、通知等の処理は、既存のＣＢＴに関するシステムの様々な技術を適用することが可能である。
【０１０４】
前記実施の形態では、資格試験、検定試験、入学試験等の各種試験に適用する例を示したが、本発明はこれに限らず、学内で定期的に行われる中間試験、期末試験等の試験に適用しても良く、また試験に限らず、例えばアンケート等の意見の収集に用いることも可能であり、更には時間制限で配付し、意見を収集する会議資料の配付等の分野にも適用することが可能である。
【０１０５】
また前記実施の形態では、同時に試験を開始する形態について説明したが、本発明はこれに限らず、同じ試験であっても異なる時間に開始する様にしても良い。具体的には、受験者又は試験の主催者の都合に応じて予め設定した時刻、指定した時刻又は任意の時刻に試験を開始する様にし、開始からの経過時間が予め設定された試験時間に到達した時に試験を終了する様にしても良い。この様な実施時期に関する自由度の拡張は、例えば受験者毎に試験問題が異なる検定試験を実施する場合に適用することができる。なお受験者毎に異なる試験問題は、予め受験者毎に割り当てて作成した試験問題を保管しておく様にしても良く、また予め保管されている多数の試験問題の中から、ランダムに又は所定の規則に従って選択された試験問題を組み合わせることで試験開始直前に試験問題を自動生成する様にしても良い。
【０１０６】
この様に前記実施の形態は、無数に存在する本発明の適用の一例を示したものであり、本発明は、その目的、費用、規模、運用形態等の様々な要因に応じて様々な形態に展開することが可能である。即ち端末装置を頭部に装着して設問を表示する通信システムであれば、システムの構成、各装置の構成、各装置間の通信形態、データベースの構成等の構成は、適宜設計することが可能である。
【図面の簡単な説明】
【０１０７】
【図１】本発明の通信システムの構成例を示す概念図である。
【図２】本発明の通信システムにて用いられる中央装置の構成例を示すブロック図である。
【図３】本発明の通信システムにて用いられる中央装置が備える受験者データベースの記録内容を概念的に示す説明図である。
【図４】本発明の通信システムにて用いられる中央装置が備える試験種別データベースの記録内容を概念的に示す説明図である。
【図５】本発明の通信システムにて用いられる中央装置が備える試験問題データベースの記録内容を概念的に示す説明図である。
【図６】本発明の通信システムにて用いられる中央装置が備える解答データベースの記録内容を概念的に示す説明図である。
【図７】本発明の通信システムにて用いられる端末装置の構成例を示すブロック図である。
【図８】本発明の通信システムにて用いられる第１回答装置の外観の一例を示す斜視図である。
【図９】本発明の通信システムにて用いられる第１回答装置の構成例を示すブロック図である。
【図１０】本発明の通信システムにて用いられる第２回答装置の構成例を示すブロック図である。
【図１１】本発明の通信システムにて用いられる中央装置の受験者情報登録処理の一例を示すフローチャートである。
【図１２】本発明の通信システムにて用いられる中央装置、端末装置及び第２回答装置の試験開始前処理の一例を示すフローチャートである。
【図１３】本発明の通信システムにて用いられる端末装置の試験開始処理の一例を示すフローチャートである。
【図１４】本発明の通信システムにて用いられる第１回答装置及び第２回答装置の試験開始処理の一例を示すフローチャートである。
【図１５】本発明の通信システムにて用いられる端末装置の問題表示処理の一例を示すフローチャートである。
【図１６】本発明の通信システムにて用いられる端末装置、第１回答装置及び第２回答装置の第１解答処理の一例を示すフローチャートである。
【図１７】本発明の通信システムにて用いられる端末装置及び第２回答装置の第２解答処理の一例を示すフローチャートである。
【図１８】本発明の通信システムにて用いられる端末装置の着脱検出処理の一例を示すフローチャートである。
【図１９】本発明の通信システムにて用いられる中央装置及び端末装置の試験終了処理の一例を示すフローチャートである。
【符号の説明】
【０１０８】
１  中央装置
１１ａ  受験者データベース
１１ｂ  試験種別データベース
１１ｃ  試験問題データベース
１１ｄ  解答データベース
２  端末装置
２３  表示部
２４  着脱検出部
２５  動作検出部
２６  認証部
２８  計時部
３  第１回答装置
３４  入出力部
３４０  出力層
３４１  入力層
４  第２回答装置
４３  動作検出部
４４  認証部
４６  計時部
【図１】
2009237801.tif 000003
【図２】
2009237801.tif 000004
【図３】
2009237801.tif 000005
【図４】
2009237801.tif 000006
【図５】
2009237801.tif 000007
【図６】
2009237801.tif 000008
【図７】
2009237801.tif 000009
【図８】
2009237801.tif 000010
【図９】
2009237801.tif 000011
【図１０】
2009237801.tif 000012
【図１１】
2009237801.tif 000013
【図１２】
2009237801.tif 000014
【図１３】
2009237801.tif 000015
【図１４】
2009237801.tif 000016
【図１５】
2009237801.tif 000017
【図１６】
2009237801.tif 000018
【図１７】
2009237801.tif 000019
【図１８】
2009237801.tif 000020
【図１９】
2009237801.tif 000021